(57)【要約】      （修正有）【課題】皮膚トラブルがなく、化粧品に準ずる皮膚保湿効果を有する模型製作用彫塑組成物の提供。【解決手段】ココナッツオイル５〜２０重量％、カルボキシメチルセルロース５〜１０重量％、スクアラン１〜１０重量％、レシチン１〜５重量％、オゾケライト２０〜３０重量％及び澱粉３０〜６０重量％である彫塑組成物。さらに、ソルビタン脂肪酸エステルを１〜５重量％、乳化剤として中性脂肪酸トリグリセリド、有機酸モノグリセリド、グリセリン脂肪酸エステル、ポリオキシエチレン脂肪酸エステル、プロピレングリコール脂肪酸エステル、医薬品用乳化剤及び化粧品用乳化剤のうちいずれか１つ以上を１〜５重量％、天然オイルとしてアーモンド油、椿オイル、ヒマシ油及びホホバ油のうちいずれか１つ以上を１〜１０重量％含むことも可能である。【選択図】図１
2020041115.tif 000002
【特許請求の範囲】
【請求項１】
ココナッツオイル５〜２０重量％、カルボキシメチルセルロース５〜１０重量％、スクアラン１〜１０重量％、レシチン１〜５重量％、オゾケライト２０〜３０重量％及び澱粉３０〜６０重量％である彫塑組成物。
【請求項２】
ソルビタン脂肪酸エステルを１〜５重量％さらに含む請求項１に記載の彫塑組成物。
【請求項３】
乳化剤として中性脂肪酸トリグリセリド、有機酸モノグリセリド、グリセリン脂肪酸エステル、ポリオキシエチレン脂肪酸エステル、プロピレングリコール脂肪酸エステル、医薬品用乳化剤及び化粧品用乳化剤のうちいずれか１つ以上を１〜５重量％さらに含む請求項１に記載の彫塑組成物。
【請求項４】
天然オイルとしてアーモンド油、椿オイル、ヒマシ油及びホホバ油のうちいずれか１つ以上を１〜１０重量％さらに含む請求項１に記載の彫塑組成物。
【請求項５】
保湿成分としてグリセリン、プロピレングリコール、ジプロピレングリコール、ポリプロピレングリコール、ポリエチレングリコール及びその誘導体、ソルビトール、ヒドロキシプロピルソルビトール、ヘキシレングリコール、１，３-ブチレングリコール、１，２，６-ヘキサントリオール、エトキシ化グリセロール、プロポキシ化グリセロール及びその混合物のうちいずれか１つ以上を１〜１０重量％さらに含む請求項１に記載の彫塑組成物。
【請求項６】
ポリエチレンビニルアセテートとポリビニルアルコールからなる樹脂と水の混合物を５〜１５重量％さらに含む請求項１に記載の彫塑組成物。
【発明の詳細な説明】
【技術分野】
【０００１】
本発明は、模型製作用彫塑組成物（粘土又は油土）に関し、より詳しくは、皮膚トラブルがなく、化粧品に準ずる皮膚保湿効果を有する彫塑組成物に関する。
【背景技術】
【０００２】
本発明は、様々な模型、キャラクター、型枠などを製作することができる彫塑組成物に関し、粘土又は油土のような模型の製作が可能な彫塑組成物に関する技術である。
【０００３】
子供たちの美術教育に用いられたり、様々な模型を製作するための用途として用いられる粘土は、一般的に、ユーザーが手で所望の形状に変形させて造形物を製造し、一定の時間が経過して乾燥が完了すると、固まって形状を維持することを特徴とする。粘土の例として、粘土質の土があり、高い比重の無機系物質である粘土質の土の場合、運搬及び造形性が容易でないという欠点を有し、又、乾燥過程で粘土質の土内の水分が急速に蒸発して作業時間に追われ、造形物の表面が割れたり、砕けやすいなどの問題点がある。
【０００４】
前記鉱物成分の粘土の問題点を解決するために、特許文献１に開示しているように、澱粉のような天然高分子やその誘導体を用いて人工的に粘土を製造することにより、重量を大きく減らし、手に付きにくく、重量が軽くなって持ち運び性が改善され、表面が無機系粘土に比べて柔らかい粘土が開発された。しかしながら、このような天然高分子を用いた粘土は、無機系粘土に比べて大きく軽量化されたにもかかわらず、依然として重く、乾燥時、粘土の体積が大きく減って造形物がひび割れて砕ける傾向があり、粘土に彩色し難く、乾燥中に変色する現象が発生する問題点がある。
【０００５】
前記軽量粘土の問題点を解決するために、特許文献２では、ポリビニルアルコール系樹脂、粘度調整剤、水及び軽量化剤を含有する軽量の造形材料を開示しているが、水分の量及び乾燥速度の調節が難しく、造形物の変形に対する耐久性が低下する問題点がある。又、従来の彫塑組成物は、フタレートのような可塑剤、ホウ酸などを用いることにより、人体及び環境に有害である。
【０００６】
又、無機系粘土、澱粉を含む従来の粘土又は油土などは、長い時間彫塑作業をする場合、作業者の皮膚が乾燥しやすくなり、敏感肌の場合には発疹などができる問題点があるため、作業者の皮膚に悪影響を及ぼさない彫塑組成物の開発が要望されている。特に、彫塑組成物は、主に子供たちの学習や趣味などのために用いているため、皮膚の弱い子供たちを保護するための環境にやさしく皮膚トラブルのない彫塑組成物の開発は強く要望されている。
【先行技術文献】
【特許文献】
【０００７】
【特許文献１】韓国登録特許第１０１８１５８号公報
【特許文献２】韓国登録特許第０９７８６９２号公報
【発明の概要】
【発明が解決しようとする課題】
【０００８】
本発明は、皮膚トラブルがなく、保湿効果を長時間持続することができる彫塑組成物を提供することを目的とする。
【０００９】
特に、本発明は、天然成分を用いて保湿効果を有する彫塑組成物を提供することを目的とする。
【００１０】
特に、本発明は、フタレート可塑剤、ホウ酸、及び鉛などの人体や環境に有害な物質を含まない環境に優しい材料のみからなる彫塑組成物を提供することを目的とする。
【００１１】
特に、従来技術では、長期間保管するとカビが生えたり、古くなるとボンドの臭いなどの悪臭がするという問題点があったが、本発明は、上記した問題点を解決した彫塑組成物を提供することを目的とする。
【課題を解決するための手段】
【００１２】
本発明は、上記の目的を達成するために、ココナッツオイル５〜２０重量％、カルボキシメチルセルロース５〜１０重量％、スクアラン１〜１０重量％、レシチン１〜５重量％、オゾケライト２０〜３０重量％及び澱粉３０〜６０重量％を含んでなる彫塑組成物を提供する。
【００１３】
特に、本発明は、ソルビタン脂肪酸エステルを１〜５重量％さらに含むことができる。
【００１４】
特に、本発明は、乳化剤として、中性脂肪酸トリグリセリド、有機酸モノグリセリド、グリセリン脂肪酸エステル、ポリオキシエチレン脂肪酸エステル、プロピレングリコール脂肪酸エステル、医薬品用乳化剤及び化粧品用乳化剤のうちいずれか１つ以上を１〜５重量％さらに含むことができる。
【００１５】
特に、本発明は、アーモンド油、椿オイル、ヒマシ油及びホホバ油のうちいずれか１つ以上の天然オイルを１〜１０重量％さらに含むことができる。
【００１６】
特に、本発明では、保湿成分として、グリセリン、プロピレングリコール、ジプロピレングリコール、ポリプロピレングリコール、ポリエチレングリコール及びその誘導体、ソルビトール、ヒドロキシプロピルソルビトール、ヘキシレングリコール、１，３-ブチレングリコール、１，２，６-ヘキサントリオール、エトキシ化グリセロール、プロポキシ化グリセロール及びその混合物を１〜１０重量％さらに含むことができる。
【００１７】
特に、本発明は、ポリエチレンビニルアセテートとポリビニルアルコールからなる混合樹脂と水の混合物を５〜１５重量％さらに含むことができる。
【発明の効果】
【００１８】
本発明は、作業者の手に皮膚トラブルが起きないように、皮膚保湿効果とアトピーの治療及び予防効果のある成分であるココナッツオイルを含むことにより、彫塑作業をしても皮膚が荒れたりがさつくことなく、保湿効果が長く持続される。
【００１９】
なお、本発明は、フタレート可塑剤、ホウ酸、及び鉛などの人体や環境に有害な物質を含まない環境に優しい材料として、化粧品レベルの皮膚に有用な成分を含むことにより、作業者は、特に、子供たちが使用しても問題がない。
【００２０】
なお、長時間固まらなくて保管が容易であり、作業の途中に固まらないため、長い間作業が可能である。
【図面の簡単な説明】
【００２１】
【図１】実施例１によって製造された彫塑組成物を用いて製造された模型の写真である。
【図２】実施例１によって製造された彫塑組成物を用いて製造された模型の写真である。
【図３】実施例１によって製造された彫塑組成物を用いて製造された模型の写真である。
【図４】実施例１によって製造された彫塑組成物を用いて製造された模型の写真である。
【図５】実施例１によって製造された彫塑組成物を用いて製造された模型の写真である。
【図６】実施例１によって製造された彫塑組成物を用いて製造された模型の写真である。
【発明を実施するための形態】
【００２２】
本発明は、ココナッツオイル、カルボキシメチルセルロース、スクアラン、レシチン、オゾケライト及び澱粉を含む彫塑組成物を提供する。
【００２３】
以下では、成分について詳しく説明する。
【００２４】
ココナッツオイルは、皮膚に様々な良い効能があると知られている。例えば、母乳に含まれているラウリン酸（Ｌａｕｒｉｃ  Ａｃｉｄ）は、抗菌、抗ウイルス及び抗菌物質として赤ちゃんの免疫力を高めるものであるが、ココナッツオイルにはこのようなラウリン酸が母乳に比べて１０倍以上含有されており、現在、米国、ヨーロッパなどの先進国ではアトピー治療剤としてココナッツオイルを研究している。又、ココナッツオイルは、強力な保湿効果があることで知られており、身体のあちこちの乾燥しやすい部位に塗ると効果がある。
【００２５】
本発明は、従来の彫塑組成物の使用時、作業者の皮膚が乾燥しやすく、皮膚トラブルが生じる問題点を解決するためにココナッツオイルを含むことを特徴とする。
【００２６】
本発明の組成物の総量中、ココナッツオイルは、５〜２０重量％で使用することが望ましく、５重量％以下で使用する場合、ココナッツオイルの有効な効果を期待できないことがあり、２０重量％以上で混合する場合、彫塑組成物としての物理的物性（粘性、弾性、固まり性、硬度など）を満足させることができないため、前記５〜２０重量％の範囲が望ましいが、必要に応じて、前記範囲以外にもう少し加減して使用することができる。
【００２７】
カルボキシメチルセルロース（ｃａｒｂｏｘｙｍｅｔｈｙｌ  ｃｅｌｌｕｌｏｓｅ、ＣＭＣ）は、セルロースの水酸基をカルボキシメチル化させたものであって、カルボキシメチル化の比率に応じて様々な品質を得ることができる。カルボキシメチルセルロースは、冷水にも完全に溶け、粘度の高い水溶液を得ることができる。カルボキシメチルセルロースは、化学的に非常に安定しており、特に、人体に無害、無毒で、増粘剤、増量剤、乳化分散剤、接着剤、保護コロイド剤及び懸濁剤などの規格や大韓薬典規格、養魚飼料添加物規格などに適した合成物として多くの分野において様々で且つ幅広く用いられているが、本発明では乳化分散剤として使用する。
【００２８】
本発明の組成物の総量中、ココナッツオイルは、５〜１０重量％で使用することが望ましく、５重量％以下で使用する場合、乳化剤としての効果が非常に少なく、１０重量％以上で混合する場合、彫塑組成物としての物理的物性を満足させることができないため、前記５〜１０重量％の範囲が望ましいが、必要に応じて、前記範囲以外にもう少し加減して使用することができる。
【００２９】
スクアランは、主に深海産サメ肝油から得られたスクアレンに水素を添加する方法で作られる。サメ以外にも、オリーブオイルなどからも得ることができるが、オリーブオイルから抽出した場合は、「植物性スクアラン」という。近年、植物性成分を好んで植物性スクアランの使用が増加している傾向にある。スクアランは、紫外線、熱及び空気に強く安定した物質であって、分子量に比べて凝固点が非常に低く、浸透性が非常に優れた特徴を有している。他の油性原料に比べて油性感が少なく、浸透性が良くて皮膚になじみやすく、皮膚刺激がほとんどない。このような特性のため基礎化粧品類に幅広く用いられている。又、スクアランは、人の皮脂にも含まれている成分であり、保湿、収斂、軟化作用をする
【００３０】
本発明では、スクアランを皮膚トラブル防止用有効成分の１つとして使用され、その含有量は、全体組成物の総量中、１〜１０重量％で使用することが望ましいが、１重量％以下で使用すると、スクアランの含有量が少なすぎて有効な効果が非常に少なく、１０重量％以上で使用すると、他の成分が減り、彫塑組成物としての物性が悪くなる可能性がある。
【００３１】
レシチンは、細胞膜、消泡剤、ミトコンドリアのように、生体膜の主構成成分であるリン脂質の一種として自然界に存在する唯一の天然乳化剤の機能をし、本発明でもレシチンは、上述したカルボキシメチルセルロースと共に乳化剤として使用される。
【００３２】
その含有量は、全体組成物の総量中、１〜５重量％で使用することが可能であるが、１重量％よりも少ないと、レシチンの乳化剤としての効果が非常に少なく、５重量％以上で多く使用すると、彫塑組成物としての一般的な物性が悪くなるので、前記１〜５重量％の範囲が適切であるが、必要に応じて加減することができる。
【００３３】
オゾケライトは、ミネラル或いは石油原料から由来した炭化水素ワックスとして、結合剤、乳化安定剤、増粘剤の用途として使用される成分であって、皮膚に油分を供給する。本発明で、オゾケライトは、作業時、樹脂成分の欠点である粉末化を防ぎ、油性及び水性インクとの混合を容易にし、色彩表現の自由度を高め、混合量に応じて彫塑組成物の硬化時間を調節することが可能であり、又、作業者の手に粘土が付かないようにする役割をする。
【００３４】
本発明で、組成物の総量中、オゾケライトは２０〜３０重量％が望ましい。２０重量％以下であると、オゾケライトの効果が非常に少なく、３０重量％以上を使用すると、主材料である澱粉の物性を低下させるため、前記２０〜３０重量％の範囲が望ましいが、必要に応じて加減することができる。
【００３５】
又、セレシン、マイクロワックス、ビーズワックス、ワセリンなどをオゾケライトの代わりに使用するか、或いはオゾケライトと共に使用することができる。
【００３６】
本発明では、彫塑造形物の充填体（ボディ）の役割をする物質として、澱粉を使用する。澱粉は、人体に無害であり、又、水性及び油性インクとの両方の混合が可能であり、色彩表現が自由である。本発明で、澱粉は、ジャガイモ澱粉、トウモロコシ澱粉、サツマイモ澱粉、小麦澱粉などの様々な澱粉を使用することができ、混合使用も可能である。澱粉は、全体組成物中３０〜６０重量％が望ましい。
【００３７】
追加の乳化剤としてソルビタン脂肪酸エステルを組成物の総量中１〜５重量％で使用することができる。又、様々な乳化剤をさらに追加することができ、中性脂肪酸トリグリセリド、有機酸モノグリセリド、グリセリン脂肪酸エステル、ポリオキシエチレン脂肪酸エステル、プロピレングリコール脂肪酸エステル、医薬品用乳化剤及び化粧品用乳化剤のうちいずれか１つ以上を１〜５重量％さらに含むことができる。
【００３８】
又、作業者が本発明の組成物を触れたときの皮膚トラブルを防止し、化粧品レベルの皮膚保湿効果などを付与するために、天然オイルとしてアーモンド油、椿オイル、ヒマシ油及びホホバ油のいずれか１つ以上を１〜１０重量％さらに含むことができる。
【００３９】
又、多価アルコールタイプの化粧品用保湿剤も本発明の彫塑組成物に使用することができる。保湿剤は、エモリエントの効果を増加させ、角質を減少させ、そして形成された角質の除去を刺激し、皮膚触感を増進させる。通常の多価アルコールには、グリセリン、キレンポリオール及びその誘導体、例えば、プロピレングリコール、ジプロピレングリコール、ポリプロピレングリコール、ポリエチレングリコール及びその誘導体、ソルビトール、ヒドロキシプロピルソルビトール、ヘキシレングリコール、１，３-ブチレングリコール、１，２，６-ヘキサントリオール、エトキシ化グリセロール、プロポキシ化グリセロール及びその混合物などを１〜１０重量％さらに含んで使用することができる。
【００４０】
又、特に、本発明は、ポリエチレンビニルアセテートとポリビニルアルコールからなる混合樹脂と水の混合物を５〜１５重量％さらに含むことができる。前記混合樹脂と水は半々程度混合することができるが、必要に応じて、いずれか１つをより多く混合することもできる。前記樹脂成分は、作業者が本発明の組成物を手で触れた際により弾性及び粘性を増加させる役割をする。
【００４１】
以下では、実施例により本発明をさらに詳しく説明するが、本発明はこれらの実施例により限定されるものではない。
【実施例１】
【００４２】
加熱器にココナッツオイル１０重量％、カルボキシメチルセルロース７重量％、スクアラン５重量％、レシチン３重量％、オゾケライト２０重量％、トウモロコシ澱粉５５重量％を加熱及び混合して本発明の組成物を製造し、触感テストの結果、触感がよく、長時間固まらず柔らかかった。作業中及び作業後にも手が荒れる現象が発生せず、皮膚に潤いが感じられ、保湿効果を確認することができ、手を洗った後はさらりとした感じがした。
【００４３】
図１〜図５に示すように、実施例１の彫塑組成物を用いて様々な形状に作ることができる。特に、図６のように、本発明の組成物は、様々な色の実現が可能である。
【実施例２】
【００４４】
加熱器にココナッツオイル５重量％、カルボキシメチルセルロース７重量％、スクアラン５重量％、レシチン３重量％、オゾケライト２０重量％、ジャガイモ澱粉６０重量％を加熱及び混合して本発明の組成物を製造し、触感テストの結果、実施例１に比べて触感及び保湿効果は少し減ったが、依然として作業中及び作業後にも手が荒れる現象が発生せず、保湿効果を確認することができ、手を洗った後はさらりとした感じがした。
【実施例３】
【００４５】
加熱器にココナッツオイル１０重量％、カルボキシメチルセルロース７重量％、スクアラン５重量％、レシチン３重量％、オゾケライト２０重量％、ソルビタン脂肪酸エステル３重量％、トウモロコシ澱粉５２重量％を加熱及び混合して本発明の組成物を製造し、触感テストの結果、実施例１とほぼ同一の結果を示した。
【実施例４】
【００４６】
加熱器にココナッツオイル１０重量％、カルボキシメチルセルロース７重量％、スクアラン５重量％、レシチン３重量％、オゾケライト２０重量％、ソルビタン脂肪酸エステル３重量％、ポリエチレンビニルアセテートとポリビニルアルコール１：１からなる混合樹脂と水の混合物（樹脂：水=１：１）を５重量％、トウモロコシ澱粉４７重量％を加熱及び混合して本発明の組成物を製造し、触感テストの結果、実施例１とほぼ同一の結果を示し、触感テストの結果、混合樹脂と水の混合物の添加により弾性及び粘性が実施例１〜３に比べて高かった。
【図１】
2020041115.tif 000003
【図２】
2020041115.tif 000004
【図３】
2020041115.tif 000005
【図４】
2020041115.tif 000006
【図５】
2020041115.tif 000007
【図６】
2020041115.tif 000008